(57)【特許請求の範囲】
【請求項１】
両耳部、口部、腕部、足部、頭部及び目部の少なくともいずれかと、胴体部とを有するロボットの形状をしており、
前記ロボットの両耳部、口部、腕部、足部、胴体部及び目部のいずれかに配置された、通話相手からの音声を出力するスピーカーと、
前記ロボットの両耳部、口部、腕部、足部、頭部、胴体部及び目部のいずれかに配置された通話相手への音声を集音するマイクと、
通話相手のダイヤルが入力されるダイヤル入力手段と、
前記腕部及び胴体部、前記足部及び胴体部、並びに、前記両耳部及び頭部の少なくともいずれかの組み合わせを互いに付け替え可能にする付け替え手段と、
前記ロボットの両耳部、口部、腕部、足部、頭部、胴体部及び目部のいずれかに配置されたソーラーパネルとを備えており、
前記ソーラーパネルが太陽光を受けて電力を供給する携帯電話。
【請求項２】
電話の相手の声のトーンに合わせて光る、前記ロボットの両耳部、口部、腕部、足部、頭部、胴体部及び目部のいずれかに配置された発光部をさらに備えている請求項１に記載の携帯電話。
【請求項３】
前記ロボットの両耳部、腕部、足部、胴体部及び目部のいずれかに配置された受電手段をさらに備えている請求項１又は２に記載の携帯電話。
【請求項４】
前記ダイヤル入力手段として、ダイヤル音声を認識するダイヤル音声認識手段をさらに備えている請求項１〜３のいずれか１項に記載の携帯電話。
【請求項５】
前記ダイヤル入力手段として、ダイヤルを入力するためのボタンをさらに備えており、
入力されたボタンに応じた音声を前記スピーカーに出力させる音声発声手段をさらに備えている請求項１〜４のいずれか１項に記載の携帯電話。
【請求項６】
音声の録音、及び、再生を実行する録音再生手段をさらに備えている請求項１〜５のいずれか１項に記載の携帯電話。
【発明の詳細な説明】
【技術分野】
【０００１】本発明は、ロボット型の携帯電話に関する。
【背景技術】
【０００２】  従来、ぬいぐるみの形状をしており、通話相手の声に合わせてロボットが動作するＶｏＩＰ電話機が用いられている。特許文献１、２はその一例である。特許文献１の電話は、お互いに相手の動作部分を動作させたり、カメラ部からの映像をお互いに送り合う等、通話相手が目の前にいるかのように通話ができるようになっている。
また、特許文献２の携帯電話は、人形型の携帯電話であり、ソフト外装はケースを被いファスナーによりその表面に固定されるようになっている。【０００３】
【特許文献１】  特開２００４−３５７２５９号公報
【特許文献２】  実用新案登録第３１０４７２７号
【発明の開示】
【発明が解決しようとする課題】
【０００４】  特許文献１、２の携帯電話は、屋外で充電することができない。また、特許文献２はソフト外装全体を付け替えることはできるが、部分的な付け替えができない。【０００５】  本発明の目的は、屋外で充電ができ、部分的な付け替えができるような携帯電話を提供することにある。
【課題を解決するための手段】
【０００６】  本発明の携帯電話は、両耳部、口部、腕部、足部、頭部及び目部の少なくともいずれかと、胴体部とを有するロボットの形状を有しており、前記腕部及び胴体部、前記足部及び胴体部、並びに、前記両耳部及び頭部の少なくともいずれかの組み合わせを互いに付け替え可能にする付け替え手段と、前記ロボットの両耳部、口部、腕部、足部、頭部、胴体部及び目部のいずれかに配置されたソーラーパネルを備えている。【０００７】  本発明の携帯電話によると、ソーラーパネルが備えられているため、外出中でも自然に充電することができる。また、部品の付け替え手段が備えられているため、自分で好きな部品に付け替えることができる。【０００８】  また、本発明においては、電話の相手の声のトーンに合わせて光る、前記ロボットの両耳部、口部、腕部、足部、頭部、胴体部及び目部のいずれかに発光部をさらに備えることが可能である。【０００９】  また、本発明においては、前記ロボットの両耳部、腕部、足部、胴体部及び目部のいずれかに受電手段をさらに備えることが可能である。これによると、天気が悪い場合でも充電することができる。【００１０】  また、本発明においては、前記ダイヤル入力手段としてダイヤル音声を認識するダイヤル音声認識手段をさらに備えることが可能である。【００１１】  また、本発明においては、前記ダイヤル入力手段として、ダイヤルを入力するためのボタン及び入力されたボタンに応じた音声を前記スピーカーに出力させる音声発声手段をさらに備えることが可能である。【００１２】  また、本発明においては、音声の録音、及び、再生を実行する録音再生手段をさらに備えることが可能である。
【発明の効果】
【００１３】  本発明の携帯電話によると、ソーラーパネルを有しているので外出していても自動的に充電をすることができる。また、部品の付け替え手段を有するので自分の好きなように部品を付け替えることができる。
【発明を実施するための最良の形態】
【００１４】  本発明の好適な実施の形態について図を参照しつつ説明する。【００１５】  図１は、本実施形態の携帯電話の全体図である。携帯電話はロボット型の外枠Ａを有している。外枠Ａの上部には頭部ａａがある。頭部ａａには両耳部１があり、その内部には通話相手からの音声の出力、及び音声の再生のためのスピーカー部１ａ及び１ｂが内蔵されている。また頭部ａａには目部４が配置されており、さらにその内側に発光部４ａ及び４ｂが内蔵されている。これは通話相手の声のトーンに合わせて発光部４ａ及び４ｂが光ることで、透明なプラスティック製でできた目部４が外から見ると光っているように見える。また、通話相手への音声の集音及び録音をするためのマイク２ａが内蔵された口部２が配置されている。【００１６】  頭部ａａの下には、胴体部ｂｂが配置されている。胴体部ｂｂには太陽光を受けて電力を供給するためのソーラーパネル３及びダイヤルを入力するためのボタン８が配置されている。このボタン８には０〜９のボタン、＃、＊のボタン、及び入、消、切のボタンがある。例えば、このボタンの１と＃を続けて押すことで音声の録音、ボタンの１と＊を続けて押すと音声の再生、そして＊を続けて２回押すと音声入力ができるような構造になっている。【００１７】  胴体部ｂｂの外部には腕部７ａ及び７ｂが配置されている。またこの腕部７ｂの内部には受電部５が配置されている。これは伸びるような構造になっているプラグであり、腕部７ｂの先端を開けて、そこから伸ばしてコンセントに繋ぐことで受電することができるものである。さらに、胴体部の外部には足部６ａ及び６ｂが配置されている。【００１８】  図２は、携帯電話の腕部７ａの構成を正面から見た図である。図２に示すように、胴体部には突起９が設置されており、腕部７ａにあるくぼみをその突起９にはめ込むような構造になっている。この場合、腕部７ａと同様のくぼみを有する７ｃのような他の部品に付け替えも可能である。さらに、突起９及び腕部７ａの内部には受電部５を通すことができるような構造になっている。【００１９】  また耳部１、足部６においても頭部ａａ及び胴体部ｂｂに突起があり、その突起に耳部１のくぼみ及び足部６のくぼみを差し込むような構造になっている。このことで、耳部１及び足部６においても腕部７ｂと同様に、部分的な付け替えができるような構造になっている。【００２０】  図３には、携帯電話の各部を制御する制御部の構成を示すブロック図を記載した。なお、この制御部は、プロセッサ回路や記憶回路などのハードウェアと、そのハードウェアを音声認識部ｃなどの各機能部として機能させるプログラム等のソフトウェアとから構築されている。また、この制御部を構築するハードウェア等は、胴体部ｂｂ内に設置されている。【００２１】  まず、電話相手との通話は、通信部ｈを介して行われる。つまり、制御部は、ダイヤル入力部ｇに入力されたダイヤルに相当する相手との通信を開始する。そして、マイク２ａからの音声を通信部ｈを介して電話相手に送信し、電話相手からの音声を通信部ｈを介して受信して、スピーカー１ａ，１ｂから出力させる。これによって、電話相手との通話が可能となっている。【００２２】  次に、音声発声については、ボタン８のうち、例えば”１”のボタンを押すと、ダイヤル入力部ｇに信号が送られると同時に、その信号が音声発声部ｆにも到達する。音声発声部ｆは、ボタン８からの信号に基づき、入力された“１”のボタンに対応する「いち」という音声をスピーカー１ａ及び１ｂに発声させる構造になっている。このことにより、ユーザは押したボタンを音声で確認することができる。更にダイヤルを押し間違えた場合はボタン８の”消”を押すことで押したボタンをキャンセルできる。【００２３】  次に、発光部の発光については、音声認識部ｃで電話相手の音声を認識する。音声認識部ｃは電話相手のトーンを認識する。そして、音声認識部ｃが、認識したトーン別の信号を発光部４ａ及び４ｂに送る。さらに発光部４ａ及び４ｂが、音声認識部ｃからの信号に基づいて光る。例えば、音声認識部ｃは音声の周波数が高いときはトーンが高いと判定し、発光部４ａ及び４ｂをピンク色に光らせる。また、音声の周波数が低いときはトーンが低いと判定し、発光部４ａ及び４ｂを青色に光らせる。さらに、音声の周波数が中程度のときはトーンが中くらいであると判定し、発光部４ａ及び４ｂを緑色に光らせる。このことで、相手の気分を発光によって瞬時に判断することができる構造になっている。【００２４】  また、音声の録音については、マイク２ａから音声を入力するとその音声を示す信号が録音再生部ｄに送られる。録音再生部ｄはその信号を音声用データに変換し、記憶部ｅに記憶させる。これによって、音声が録音される。この場合、ボイスレコーダー等として携帯電話を利用できる。また、通信部ｈを介して電話相手の音声を示すデータを録音再生部ｄが記憶部ｅに記憶させてもよい。この場合、携帯電話に留守番電話の録音機能を持たせることができる。【００２５】  または音声の再生についてはボタン８を押すと、録音再生部ｄが記憶部ｅに記憶された音声用データを取り出し、取り出した音声用データに応じた信号をスピーカー１ａ及び１ｂに送る。これによって、スピーカー１ａ及び１ｂから録音されていた音声が出力される構造になっている。【００２６】  なお、本実施形態では、音声によってダイヤル入力することもできる。マイク２ａから音声を入力すると、音声認識部ｃは、音声を識別し、識別したダイヤル番号に応じた信号をダイヤル入力部ｇに送る。さらにその信号を音声発声部ｆに送り、音声発声部ｆからスピーカー１ａ及び１ｂに送る。これによってディスプレイ及びボタン９がなくてもダイヤル入力ができる構造になっている。【００２７】また、太陽光がソーラーパネル３に当たると、ソーラーパネル３は太陽光によるエネルギーを電力に変換する。その電力は電池１０に供給される。電池１０は、発光部４ａ及び４ｂ、及びその他の各部に電力を供給するような構造になっている。これによって、屋外での充電が可能になる。なお、受電部からの電力も電池１０に供給される。【００２８】＜変形例＞
以上は、本発明の好適な実施形態についての説明であるが、本発明は上述の実施形態に限られるものではなく、課題を解決するための手段に記載された範囲の限りにおいて様々な変更が可能なものである。【００２９】  例えば、上述の実施形態においては、両耳部、口部、腕部、足部、頭部及び目部を有している。しかし、少なくともいずれかを有していればよい。【００３０】  また、スピーカー１は両耳部１に配置されている。しかし、口部、腕部、足部、頭部、胴体部及び目部のいずれに配置されてもよい。さらに、マイク２は口部２に配置されている。しかし、両耳部、口部、腕部、足部、頭部、胴体部及び目部のいずれに配置されてもよい。また、ソーラーパネルも同様に両耳部、口部、腕部、足部、頭部、胴体部及び目部のいずれに配置されてもよい。さらに目や口の付け替え及び胴体の付け替えも可能である。
【図面の簡単な説明】
【００３１】
【図１】本発明の一実施形態に係る携帯電話の全体図である。
【図２】図１に示す携帯電話の腕部の内部構成の正面図である。
【図３】音声発声手段、発光部の発光手段、音声の録音手段、音声の再生手段及びソーラーパネルによる電力供給手段を示す図である。
【符号の説明】
【００３２】１ａ、１ｂ      スピーカー
２ａ            マイク
３              ソーラーパネル
４              目部
５              受電手段
６ａ、６ｂ      足部
７              腕部
ｂｂ            胴体部
８              ボタン
ａａ            頭部
【要約】
【課題】屋外での充電、部分的な付け替えができるようにする
【解決手段】両耳部１、口部２、腕部７ａ、７ｂ、足部６ａ、６ｂ、頭部ａａ、目部４及び胴体部ｂｂを有し、ロボットの形状をしている。通話相手からの音声を出力するスピーカー１ａ、１ｂをロボットの両耳部１に配置している。通話相手への音声を集音するマイク２ａをロボットの口部２に配置している。胴体部ｂｂにはボタン８を配置している。ロボットの腕部７ａを付け替え可能にする付け替え手段が設けられている。ソーラーパネル３はロボットの胴体部ｂｂに配置されている。ソーラーパネル３は太陽光を受けて電力を供給するようになっている。
【選択図】図１【図１】
0004201211.tif 000002
【図２】
0004201211.tif 000003
【図３】
0004201211.tif 000004